(57)【要約】【課題】電流開閉によって特定の接点にダメージが集中することを防ぎ、三相で消耗量の均等化を図る。【解決手段】接離自在の一対の接点２を有する真空バルブ３と、真空バルブ３の固定側を固定する上部梁１ａと可動軸６が貫通する下部梁１ｂとを有する絶縁バリア１と、絶縁バリア１の背面側を固定するとともに、主回路部と操作機構部とを分離する隔壁板１３のような固定部材と、真空バルブ３を開閉操作する操作機構１１とを備え、固定部材は、真空バルブ３の開閉操作力により塑性変形を起こさず僅かに撓むことを特徴とする。【選択図】  図１
2014053272.tif 000002
【特許請求の範囲】
【請求項１】
接離自在の一対の接点を有する真空バルブと、
前記真空バルブの固定側を固定する上部梁と可動側が貫通する下部梁とを有する絶縁バリアと、
前記絶縁バリアの背面側を固定するとともに、主回路部と操作機構部とを分離する固定部材と、
前記真空バルブを開閉操作する操作機構とを備え、
前記固定部材は、前記真空バルブの開閉操作力により撓むことを特徴とする真空遮断器。
【請求項２】
前記絶縁バリアを三相一体としたことを特徴とする請求項１に記載の真空遮断器。
【請求項３】
前記絶縁バリアを各相独立としたことを特徴とする請求項１に記載の真空遮断器。
【請求項４】
前記真空バルブの見かけ上のストロークが、中相よりも両端相が長くなること特徴とする請求項１乃至請求項３のいずれか１項に記載の真空遮断器。
【請求項５】
前記絶縁バリアの上部梁が前記真空バルブの開閉操作力により撓むこと特徴とする請求項１乃至請求項４のいずれか１項に記載の真空遮断器。
【発明の詳細な説明】
【技術分野】
【０００１】
本発明の実施形態は、電流開閉に伴って三相の接点が消耗する消耗量を均等化する真空遮断器に関する。
【背景技術】
【０００２】
従来、真空遮断器は、優れた遮断性能を有するものの、電流開閉によりアークが発生し、接点が消耗する。このため、三相の接点のうち特定の接点にダメージが集中しないように、開閉のタイミングを制御し、ダメージの均等化を図るものが知られている（例えば、特許文献１参照。）。
【０００３】
しかしながら、開閉のタイミングを制御するものでは、電流位相を検出する検出装置や開閉時間を制御する制御装置などの付帯設備が必要となり、複雑な回路構成となっている。このため、付帯設備などを不要とした簡素な構成で、各相の接点の消耗量の均等化を図れるものが望まれていた。
【先行技術文献】
【特許文献】
【０００４】
【特許文献１】特開２００４−１８０４０１号公報
【発明の概要】
【発明が解決しようとする課題】
【０００５】
本発明が解決しようとする課題は、電流開閉によって特定の接点にダメージが集中することを防ぎ、三相の接点の消耗量を均等化することのできる真空遮断器を提供することにある。
【課題を解決するための手段】
【０００６】
上記課題を解決するために、実施形態の真空遮断器は、接離自在の一対の接点を有する真空バルブと、前記真空バルブの固定側を固定する上部梁と可動側が貫通する下部梁とを有する絶縁バリアと、前記絶縁バリアの背面側を固定するとともに、主回路部と操作機構部とを分離する固定部材と、前記真空バルブを開閉操作する操作機構とを備え、前記固定部材は、前記真空バルブの開閉操作力により撓むことを特徴とする。
【図面の簡単な説明】
【０００７】
【図１】本発明の実施例１に係る真空遮断器の構成を断面して示す側面図。
【図２】本発明の実施例１に係る真空遮断器の開閉操作時の各部の撓み状態を説明する図。
【図３】本発明の実施例１に係る真空遮断器の開閉操作時の接点状態を説明する図。
【図４】本発明の実施例２に係る真空遮断器の構成を示す要部正面図。
【図５】本発明の実施例３に係る真空遮断器の構成を示す要部正面図。
【発明を実施するための形態】
【０００８】
以下、図面を参照して本発明の実施例を説明する。
【実施例１】
【０００９】
先ず、本発明の実施例１に係る真空遮断器を図１〜図３を参照して説明する。図１は、本発明の実施例１に係る真空遮断器の構成を断面して示す側面図、図２は、本発明の実施例１に係る真空遮断器の開閉操作時の各部の撓み状態説明する図であり、（ａ）は側面図、（ｂ）は上面図、図３は、本発明の実施例１に係る真空遮断器の開閉操作時の接点状態を説明する図であり、（ａ）は閉路時、（ｂ）は開路時である。
【００１０】
図１に示すように、エポキシ樹脂のような絶縁材料でモールドされた断面コ字状の絶縁バリア１には、接離自在の一対の接点２を有する真空バルブ３が収納されている。絶縁バリア１は、各相が一方面が開放された箱状であり、三相一体の構造である。絶縁バリア１の上部梁１ａには、上部導体４を介して真空バルブ３の固定側が固定されている。下部梁１ｂには、下部導体５が固定され、可動軸６が移動自在に貫通している。可動軸６の外周部には、図示しない接触子が設けられ、下部導体５を貫通している。可動軸６端には、軸方向に絶縁操作ロッド７が連結されている。
【００１１】
絶縁操作ロッド７には、固定ピン８を支点として回動する伝達レバー９の一方端が可動ピン１０で連結されている。伝達レバー９の他方端には、接点２を開閉操作する操作機構１１が連結されている。操作機構１１は、操作機構箱１２に収納されている。操作機構箱１２と絶縁バリア１間には、鋼板からなる隔壁板１３が設けられ、互いが固定されている。絶縁バリア１は、真空バルブ３側と対向する背面側が固定される。操作機構箱１２、隔壁板１３の下部は、強固なベース１４に固定されている。
【００１２】
次に、開閉操作時の各部の状態を図２、図３を参照して説明する。
【００１３】
図２（ａ）に示すように、閉路操作時には、上部梁１ａに数１００ｋｇｆの投入操作力が加わり、絶縁バリア１が押し上げられ、隔壁板１３の上部が図示点線で示すように、ベース１４の固定点を支点として左方向に撓む。塑性変形は起こさない。撓み量は、数１０μｍであるが、図２（ｂ）に示すように、中相よりも両端相の方が大きい。これにより、図３（ａ）に示すように、撓みの少ない中相では接点２が接触するが、両端相では撓みが大きく見かけ上、ストロークが伸びるので接点２の接触が僅かに遅れる。即ち、中相が最も早くプレアークを発生する。一方、開路操作時では、図３（ｂ）に示すように、先ず両端相の接点２が開離し、僅かに遅れて中相が開離する。これは、中相の撓みの戻りが遅いためであり、両端相から遮断時のアークが発生する。
【００１４】
ここで、絶縁バリア１を隔壁板１３に固定して説明したが、絶縁バリア１を操作機構箱１２の側板に直接固定してもよい。このため、隔壁板１３や側板などを、絶縁バリア１の背面側を固定する固定部材と称する。そして、固定部材は、真空バルブ３のような主回路部と操作機構部を分離するものとなる。
【００１５】
これにより、閉路時では、中相が最も早くアークを発生し、開路時では、両端相が最も早くアークを発生し、接点２に加わるダメージを三相で分担することができる。このため、消耗量が特定の相に偏ることを防ぎ、三相で均等化することができる。また、開路時には、ダメージが少なく表面荒れの少ない両端相で遮断を始めるので、遮断特性を向上させることができる。更には、三相同時遮断を防ぐものとなる。
【００１６】
上記実施例１の真空遮断器によれば、投入操作力により絶縁バリア１を固定している隔壁板１３が撓むようにしているので、三相で接点２が接離するタイミングにずれが生じ、閉路時と開路時で接点２の受けるダメージが分担され、消耗量の均等化を図ることができる。
【実施例２】
【００１７】
次に、本発明の実施例２に係る真空遮断器を図４を参照して説明する。図４は、本発明の実施例２に係る真空遮断器の構成を示す要部正面図である。なお、この実施例２が実施例１と異なる点は、絶縁バリアを各相独立としたことである。図４において、実施例１と同様の構成部分においては、同一符号を付し、その詳細な説明を省略する。
【００１８】
図４に示すように、絶縁バリア１を単相とし、所定の間隔を保って隔壁板１３にそれぞれ固定している。
【００１９】
上記実施例２の真空遮断器によれば、実施例１による効果のほかに、隔壁板１３の撓みを各相の絶縁バリア１に確実に伝達することができる。
【実施例３】
【００２０】
次に、本発明の実施例３に係る真空遮断器を図５を参照して説明する。図５は、本発明の実施例３に係る真空遮断器の構成を示す要部正面図である。なお、この実施例３が実施例２と異なる点は、絶縁バリアの上部梁を撓ますようにしたことである。図５において、実施例２と同様の構成部分においては、同一符号を付し、その詳細な説明を省略する。
【００２１】
図５に示すように、真空バルブ３の固定側を固定する上部梁１ａを図示点線で示すように、投入操作力で撓むようにしている。機械的破壊を起こさない程度に薄くするものとする。
【００２２】
上記実施例３の真空遮断器によれば、実施例２による効果のほかに、上部梁１ａでも撓むので、確実に三相の消耗量の均等化を図ることができる。
【００２３】
以上述べたような実施形態によれば、三相の接点の消耗量を均等化することができ、信頼性を向上させることができる。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１  絶縁バリア
１ａ  上部梁
１ｂ  下部梁
２  接点
３  真空バルブ
４  上部導体
５  下部導体
６  可動軸
７  絶縁操作ロッド
８  固定ピン
９  伝達レバー
１０  可動ピン
１１  操作機構
１２  操作機構箱
１３  隔壁板
１４  ベース
【図１】
2014053272.tif 000003
【図２】
2014053272.tif 000004
【図３】
2014053272.tif 000005
【図４】
2014053272.tif 000006
【図５】
2014053272.tif 000007